【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
記録媒体上の領域および当該記録媒体の外側にはみ出した領域に対して記録手段から着色剤を付与することにより前記記録媒体の端部に余白を設けずに記録を行なう方法であって、
前記記録媒体の一方の面に対して前記記録手段から着色剤を付与することにより画像を記録する片面記録モード、または前記記録媒体の一方の面および他方の面に対して前記記録手段から着色剤を付与することにより画像を記録する両面記録モードを設定する工程と、
設定されたモードと、前記記録媒体のサイズに関する情報と、前記はみ出し領域の幅に関する情報とに基づいて、前記記録媒体より大きなサイズの画像データを生成する工程と、
前記生成された画像データに基づいて前記記録手段から着色剤を付与する工程とを備え、
前記生成工程は、前記片面記録モードが設定された場合には前記記録媒体の搬送方向の一端に位置する第１端部からのはみ出し領域の幅と前記記録媒体の搬送方向の他端に位置する第２端部からのはみ出し領域の幅とを異ならせ、前記両面記録モードが設定された場合には前記第１端部からのはみ出し領域の幅と前記第２端部からのはみ出し領域の幅とを一致させることを特徴とする記録方法。
【請求項２】
前記画像データのうち、前記第１端部からのはみ出し領域に対応するデータの一部をマスク処理する工程を更に備え、
前記付与工程は、前記マスク処理された画像データに基づいて前記記録手段から着色材を付与することを特徴とする請求項１に記載の記録方法。
【請求項３】
前記生成工程は、前記記録媒体の搬送方向と直交する方向の一端に位置する第３端部からのはみ出し領域の幅と前記記録媒体の搬送方向と直交する方向の他端に位置する第４端部からのはみ出し領域の幅とを一致させて前記画像データを生成することを特徴とする請求項１または２に記載の記録方法。
【請求項４】
前記画像データのうち、前記第３端部からのはみ出し領域に対応するデータの一部をマスク処理する工程を更に備え、
前記付与工程は、前記マスク処理された画像データに基づいて前記記録手段から着色材を付与することを特徴とする請求項３に記載の記録方法。
【請求項５】
前記生成工程は、見開きの左右頁を構成する先の記録媒体における他方の面と後続の記録媒体における一方の面に１つの画像を分割して記録する場合、前記２つの面の隣接する左右側端部において互いに画像がオーバーラップするように、前記他方の面および一方の面それぞれに対応する画像データを生成することを特徴とする請求項１ないし４のいずれかに記載の記録方法。
【請求項６】
左右の頁の画像が互いにオーバーラップする幅は、前記はみ出し領域の幅と同一、あるいは前記はみ出し領域の幅に綴じ代の幅を加えた幅と同一であることを特徴とする請求項５に記載の記録方法。
【請求項７】
記録手段から着色材を付与することにより記録媒体の一方の面に対して画像を記録し、当該画像が記録された記録媒体を反転させて前記記録媒体の他方の面に対して前記記録手段により画像を記録する記録方法であって、
前記記録媒体上の領域および前記記録媒体の外側にはみ出した領域に対して前記記録手段から着色材を付与することにより前記記録媒体の端部に余白を設けずに記録を行うモードを設定する工程と、
前記モードが設定された場合、前記記録媒体のサイズに関する情報および前記はみ出し領域の幅に関する情報に基づいて、前記記録媒体上の領域と前記はみ出し領域を含む領域に対応した画像データを生成する工程と、
前記生成された画像データに基づいて前記記録手段から着色材を付与する工程とを備え、
前記着色工程は、着色剤を付与される記録媒体の前記一方の面に対応した画像データの記録媒体に対する相対位置と、前記他方の面に対応した画像データの記録媒体に対する相対位置とが一致するように、前記一方の面および他方の面それぞれに前記着色剤を付与することを特徴とする記録方法。
【請求項８】
記録媒体上の領域および当該記録媒体の外側にはみ出した領域に対して記録手段から着色材を付与することにより前記記録媒体の端部に余白を設けずに記録を行う場合に使用される画像データを生成する方法であって、
前記記録媒体の一方の面に対して前記記録手段から着色剤を付与することにより画像を記録する片面記録モード、または前記記録媒体の一方の面および他方の面に対して前記記録手段から着色材を付与することにより画像を記録する両面記録モードを設定する工程と、
設定されたモードと、前記記録媒体のサイズに関する情報と、前記はみ出し領域の幅に関する情報とに基づいて、前記記録媒体より大きなサイズの画像データを生成する工程とを有し、
前記生成工程は、前記片面記録モードが設定された場合には前記記録媒体の搬送方向の一端に位置する第１端部からのはみ出し領域の幅と前記記録媒体の搬送方向の他端に位置する第２端部からのはみ出し領域の幅とを異ならせ、前記両面記録モードが設定された場合には前記第１端部からのはみ出し領域の幅と前記第２端部からのはみ出し領域の幅とを一致させることを特徴とするデータ生成方法。
【請求項９】
前記生成工程は、前記記録媒体の搬送方向と直交する方向の一端に位置する第３端部からのはみ出し領域の幅と前記記録媒体の搬送方向と直交する方向の他端に位置する第４端部からのはみ出し領域の幅とを一致させて、前記画像データを生成することを特徴とする請求項８に記載のデータ生成方法。
【請求項１０】
請求項８に記載のデータ生成方法をコンピュータによって実行させるためのプログラム。
【請求項１１】
記録媒体上の領域および当該記録媒体の外側にはみ出した領域に対して記録手段から着色剤を付与することにより前記記録媒体の端部に余白を設けずに記録を行なう記録装置であって、
前記記録媒体の一方の面に対して前記記録手段から着色剤を付与することにより画像を記録する片面記録モード、または前記記録媒体の一方の面および他方の面に対して前記記録手段から着色剤を付与することにより画像を記録する両面記録モードを設定する設定手段と、
前記設定手段により設定されたモードと、前記記録媒体のサイズに関する情報と、前記はみ出し領域の幅に関する情報とに基づいて、前記記録媒体より大きなサイズの画像データを生成する生成手段と、
前記生成手段により生成された画像データに基づいて前記記録手段から着色剤を付与する付与手段とを備え、
前記生成手段は、前記片面記録モードが設定された場合には前記記録媒体の搬送方向の一端に位置する第１端部からのはみ出し領域の幅と前記記録媒体の搬送方向の他端に位置する第２端部からのはみ出し領域の幅とを異ならせ、前記両面記録モードが設定された場合には前記第１端部からのはみ出し領域の幅と前記第２端部からのはみ出し領域の幅とを一致させることを特徴とする記録装置。
【請求項１２】
記録手段から着色材を付与することにより記録媒体の一方の面に対して画像を記録し、当該画像が記録された記録媒体を反転させて前記記録媒体の他方の面に対して前記記録手段により画像を記録する記録装置であって、
前記記録媒体上の領域および前記記録媒体の外側にはみ出した領域に対して前記記録手段から着色材を付与することにより前記記録媒体の端部に余白を設けずに記録を行うモードが設定された場合、前記記録媒体のサイズに関する情報および前記はみ出し領域の幅に関する情報に基づいて、前記記録媒体上の領域と前記はみ出し領域を含む領域に対応した画像データを生成する手段と、
前記生成された画像データに基づいて前記記録手段から着色材を付与する手段とを備え、
前記生成手段は、前記記録媒体に対する前記一方の面に対応した画像データの相対位置と前記記録媒体に対する前記他方の面に対応した画像データの相対位置が一致するように、前記一方の面および他方の面それぞれの画像データを生成することを特徴とする記録装置。
【手続補正２】
【補正対象書類名】明細書
【補正対象項目名】発明の名称
【補正方法】変更
【補正の内容】
【発明の名称】記録装置および記録方法
【手続補正３】
【補正対象書類名】明細書
【補正対象項目名】００１５
【補正方法】変更
【補正の内容】
【００１５】
上記目的を達成するための本発明は、以下のような構成を有する。
すなわち、本発明の第１の形態は、記録媒体上の領域および当該記録媒体の外側にはみ出した領域に対して記録手段から着色剤を付与することにより前記記録媒体の端部に余白を設けずに記録を行なう方法であって、前記記録媒体の一方の面に対して前記記録手段から着色剤を付与することにより画像を記録する片面記録モード、または前記記録媒体の一方の面および他方の面に対して前記記録手段から着色剤を付与することにより画像を記録する両面記録モードを設定する工程と、設定されたモードと、前記記録媒体のサイズに関する情報と、前記はみ出し領域の幅に関する情報とに基づいて、前記記録媒体より大きなサイズの画像データを生成する工程と、前記生成された画像データに基づいて前記記録手段から着色剤を付与する工程とを備え、前記生成工程は、前記片面記録モードが設定された場合には前記記録媒体の搬送方向の一端に位置する第１端部からのはみ出し領域の幅と前記記録媒体の搬送方向の他端に位置する第２端部からのはみ出し領域の幅とを異ならせ、前記両面記録モードが設定された場合には前記第１端部からのはみ出し領域の幅と前記第２端部からのはみ出し領域の幅とを一致させることを特徴とする。
【手続補正４】
【補正対象書類名】明細書
【補正対象項目名】００１６
【補正方法】変更
【補正の内容】
【００１６】
本発明の第２の形態は、記録手段から着色材を付与することにより記録媒体の一方の面に対して画像を記録し、当該画像が記録された記録媒体を反転させて前記記録媒体の他方の面に対して前記記録手段により画像を記録する記録方法であって、前記記録媒体上の領域および前記記録媒体の外側にはみ出した領域に対して前記記録手段から着色材を付与することにより前記記録媒体の端部に余白を設けずに記録を行うモードを設定する工程と、前記モードが設定された場合、前記記録媒体のサイズに関する情報および前記はみ出し領域の幅に関する情報に基づいて、前記記録媒体上の領域と前記はみ出し領域を含む領域に対応した画像データを生成する工程と、前記生成された画像データに基づいて前記記録手段から着色材を付与する工程とを備え、前記着色工程は、着色剤を付与される記録媒体の前記一方の面に対応した画像データの記録媒体に対する相対位置と、前記他方の面に対応した画像データの記録媒体に対する相対位置とが一致するように、前記一方の面および他方の面それぞれに前記着色剤を付与することを特徴とする。
【手続補正５】
【補正対象書類名】明細書
【補正対象項目名】００１７
【補正方法】変更
【補正の内容】
【００１７】
本発明の第３の形態は、記録媒体上の領域および当該記録媒体の外側にはみ出した領域に対して記録手段から着色材を付与することにより前記記録媒体の端部に余白を設けずに記録を行う場合に使用される画像データを生成する方法であって、前記記録媒体の一方の面に対して前記記録手段から着色剤を付与することにより画像を記録する片面記録モード、または前記記録媒体の一方の面および他方の面に対して前記記録手段から着色材を付与することにより画像を記録する両面記録モードを設定する工程と、設定されたモードと、前記記録媒体のサイズに関する情報と、前記はみ出し領域の幅に関する情報とに基づいて、前記記録媒体より大きなサイズの画像データを生成する工程とを有し、前記生成工程は、前記片面記録モードが設定された場合には前記記録媒体の搬送方向の一端に位置する第１端部からのはみ出し領域の幅と前記記録媒体の搬送方向の他端に位置する第２端部からのはみ出し領域の幅とを異ならせ、前記両面記録モードが設定された場合には前記第１端部からのはみ出し領域の幅と前記第２端部からのはみ出し領域の幅とを一致させることを特徴とする。
【手続補正６】
【補正対象書類名】明細書
【補正対象項目名】００１９
【補正方法】変更
【補正の内容】
【００１９】
本発明の第４の形態は、記録媒体上の領域および当該記録媒体の外側にはみ出した領域に対して記録手段から着色剤を付与することにより前記記録媒体の端部に余白を設けずに記録を行なう記録装置であって、前記記録媒体の一方の面に対して前記記録手段から着色剤を付与することにより画像を記録する片面記録モード、または前記記録媒体の一方の面および他方の面に対して前記記録手段から着色剤を付与することにより画像を記録する両面記録モードを設定する設定手段と、前記設定手段により設定されたモードと、前記記録媒体のサイズに関する情報と、前記はみ出し領域の幅に関する情報とに基づいて、前記記録媒体より大きなサイズの画像データを生成する生成手段と、前記生成手段により生成された画像データに基づいて前記記録手段から着色剤を付与する付与手段とを備え、前記生成手段は、前記片面記録モードが設定された場合には前記記録媒体の搬送方向の一端に位置する第１端部からのはみ出し領域の幅と前記記録媒体の搬送方向の他端に位置する第２端部からのはみ出し領域の幅とを異ならせ、前記両面記録モードが設定された場合には前記第１端部からのはみ出し領域の幅と前記第２端部からのはみ出し領域の幅とを一致させることを特徴とする。
本発明の第５の形態は、記録手段から着色材を付与することにより記録媒体の一方の面に対して画像を記録し、当該画像が記録された記録媒体を反転させて前記記録媒体の他方の面に対して前記記録手段により画像を記録する記録装置であって、前記記録媒体上の領域および前記記録媒体の外側にはみ出した領域に対して前記記録手段から着色材を付与することにより前記記録媒体の端部に余白を設けずに記録を行うモードが設定された場合、前記記録媒体のサイズに関する情報および前記はみ出し領域の幅に関する情報に基づいて、前記記録媒体上の領域と前記はみ出し領域を含む領域に対応した画像データを生成する手段と、前記生成された画像データに基づいて前記記録手段から着色材を付与する手段とを備え、前記生成手段は、前記記録媒体に対する前記一方の面に対応した画像データの相対位置と前記記録媒体に対する前記他方の面に対応した画像データの相対位置が一致するように、前記一方の面および他方の面それぞれの画像データを生成することを特徴とする。